(57)【要約】【課題】複数の印刷ユニットを備えた印刷装置において、印刷ユニット間で色再現域が異なる場合であっても、各印刷ユニットの出力結果の色再現を一致させることができるようにする。【解決手段】入力色変換処理部310によって、ＲＧＢ画像データを、Ｌａｂ画像データに変換する。更に、マッピング部320により、画像データで使われ得るすべての色が、２つの印刷ユニットで共通する色再現域へ含まれるように色変換（マッピング）を行う。次に、表裏判別部340によって、画像データが用紙の表面に出力するためのものか、用紙の裏面に出力するためのものかを判別し、表面用の画像データは、表面用色変換処理部351に対して出力し、表面用の画像データは、裏面用色変換処理部３５２に対して出力する。次に、表面用色変換処理部351及び裏面用色変換処理部352によって、各Ｌａｂ画像データを、各印刷ユニット用のＣＭＹＫ画像データに変換する。【選択図】図３
2007088969.tif 000002
【特許請求の範囲】
【請求項１】
第一の印刷ユニット及び第二の印刷ユニットを備えた印刷装置であって、
出力用の画像データを、デバイス非依存の色空間の画像データへ変換する入力色変換処理部と、
前記入力色変換処理部によって変換された画像データを、前記第一の印刷ユニット及び前記第二の印刷ユニットの共通色再現域内にマッピングするマッピング部と、
画像データが、前記第一の印刷ユニットで出力するためのものか、前記第二の印刷ユニットで出力するためのものかを判別する判別部と、
前記第一の印刷ユニットで出力するための画像データを、前記第一の印刷ユニットに依存する色空間の画像データに変換する第一の色変換処理部と、
前記第二の印刷ユニットで出力するための画像データを、前記第二の印刷ユニットに依存する色空間の画像データに変換する第二の色変換処理部と
を備えたことを特徴とする印刷装置。
【請求項２】
前記マッピング部によるマッピングが行われた画像データの色調整を行う色調整部を更に備えた
ことを特徴とする請求項１に記載の印刷装置。
【請求項３】
第一の印刷ユニット及び第二の印刷ユニットを備えた印刷装置であって、
出力用の画像データを、統合入力プロファイルを利用して、デバイス非依存の色空間の画像データへ変換する入力色変換処理部と、
画像データが、前記第一の印刷ユニットで出力するためのものか、前記第二の印刷ユニットで出力するためのものかを判別する判別部と、
前記第一の印刷ユニットで出力するための画像データを、前記第一の印刷ユニットに依存する色空間の画像データに変換する第一の色変換処理部と、
前記第二の印刷ユニットで出力するための画像データを、前記第二の印刷ユニットに依存する色空間の画像データに変換する第二の色変換処理部と
を備え、
前記統合入力プロファイルは、画像データを、前記第一の印刷ユニット及び前記第二の印刷ユニットの共通色再現域内にマッピングするための共通色再現プロファイルと、入力プロファイルを統合したものである
ことを特徴とする印刷装置。
【請求項４】
前記入力色変換処理部による変換が行われた画像データの色調整を行う色調整部を更に備えた
ことを特徴とする請求項３に記載の印刷装置。
【請求項５】
第一の印刷ユニット及び第二の印刷ユニットを備えた印刷装置であって、
出力用の画像データを、デバイス非依存の色空間の画像データへ変換する入力色変換処理部と、
画像データが、前記第一の印刷ユニットで出力するためのものか、前記第二の印刷ユニットで出力するためのものかを判別する判別部と、
前記第一の印刷ユニットで出力するための画像データを、第一の統合出力プロファイルを利用して、前記第一の印刷ユニットに依存する色空間の画像データに変換する第一の色変換処理部と、
前記第二の印刷ユニットで出力するための画像データを、第二の統合出力プロファイルを利用して、前記第二の印刷ユニットに依存する色空間の画像データに変換する第二の色変換処理部と
を備え、
前記第一の統合出力プロファイルは、画像データを、前記第一の印刷ユニット及び前記第二の印刷ユニットの共通色再現域内にマッピングするための共通色再現プロファイルと、前記第一の印刷ユニットのプロファイルを統合したものであり、
前記第二の統合出力プロファイルは、前記共通色再現プロファイルと、前記第二の印刷ユニットのプロファイルを統合したものである
ことを特徴とする印刷装置。
【請求項６】
第一の印刷ユニット及び第二の印刷ユニットを備えた印刷装置であって、
画像データが、前記第一の印刷ユニットで出力するためのものか、前記第二の印刷ユニットで出力するためのものかを判別する判別部と、
前記第一の印刷ユニットで出力するための画像データを、第一の統合プロファイルを利用して、前記第一の印刷ユニットに依存する色空間の画像データに変換する第一の色変換処理部と、
前記第二の印刷ユニットで出力するための画像データを、第二の統合プロファイルを利用して、前記第二の印刷ユニットに依存する色空間の画像データに変換する第二の色変換処理部と
を備え、
前記第一の統合プロファイルは、画像データを、前記第一の印刷ユニット及び前記第二の印刷ユニットの共通色再現域内にマッピングするための共通色再現プロファイルと、入力プロファイルと、前記第一の印刷ユニットのプロファイルとを統合したものであり、
前記第二の統合プロファイルは、前記共通色再現プロファイルと、前記入力プロファイルと、前記第二の印刷ユニットのプロファイルとを統合したものである
ことを特徴とする印刷装置。
【請求項７】
第一の印刷ユニット及び第二の印刷ユニットを備え、バイナリ画像を受け取って、前記バイナリ画像の出力を行う印刷装置であって、
前記バイナリ画像の多値化を行う多値化処理部と、
前記多値化処理部によって多値化された画像データを、デバイス非依存の色空間の画像データへ変換する入力色変換処理部と、
前記入力色変換処理部によって変換された画像データを、前記第一の印刷ユニット及び前記第二の印刷ユニットの共通色再現域内にマッピングするマッピング部と、
画像データが、前記第一の印刷ユニットで出力するためのものか、前記第二の印刷ユニットで出力するためのものかを判別する判別部と、
前記第一の印刷ユニットで出力するための画像データを、前記第一の印刷ユニットに依存する色空間の画像データに変換する第一の色変換処理部と、
前記第二の印刷ユニットで出力するための画像データを、前記第二の印刷ユニットに依存する色空間の画像データに変換する第二の色変換処理部と
を備えたことを特徴とする印刷装置。
【請求項８】
第一の印刷ユニット及び第二の印刷ユニットを備えた印刷装置で出力するための画像データを生成する画像生成装置であって、
前記印刷装置で出力するための画像データを生成する画像生成部と、
前記画像生成部によって生成された画像データを、デバイス非依存の色空間の画像データへ変換する入力色変換処理部と、
前記入力色変換処理部によって色変換された画像データを、前記第一の印刷ユニット及び前記第二の印刷ユニットの共通色再現域内にマッピングするマッピング部と
を備えたことを特徴とする画像生成装置。
【請求項９】
請求項８に記載の画像生成装置によって生成された画像データの出力を行う印刷装置であって、
第一の印刷ユニット及び第二の印刷ユニットと、
前記画像生成装置から受け取った画像データが、前記第一の印刷ユニットで出力するためのものか、前記第二の印刷ユニットで出力するためのものかを判別する判別部と、
前記第一の印刷ユニットで出力するための画像データを、前記第一の印刷ユニットに依存する色空間の画像データに変換する第一の色変換処理部と、
前記第二の印刷ユニットで出力するための画像データを、前記第二の印刷ユニットに依存する色空間の画像データに変換する第二の色変換処理部と
を備えたことを特徴とする印刷装置。
【請求項１０】
前記第一の印刷ユニットは、用紙の表面に対して出力処理を行うものであり、
前記第二の印刷ユニットは、用紙の裏面に対して出力処理を行うものである
ことを特徴とする請求項１〜７、９に記載の印刷装置。
【発明の詳細な説明】
【技術分野】
【０００１】
本発明は、複数の印刷ユニット（プリントエンジン）を備えた印刷装置によって画像データの出力を行う印刷システムに関する。
【背景技術】
【０００２】
カット紙など枚葉紙への両面印刷は、用紙反転機構を利用して、一台のプリントエンジンによって行うのが一般的であるが、ロール紙など連続紙への両面印刷は、連続紙を反転させるための反転機構（ターンバー等）を挟んだ２台のプリントエンジンによって行われることがある（重連）。
【０００３】
この重連システム構成のように、表面用と裏面用とで物理的に異なる２台のプリントエンジンを使用すると、一般に、プリントエンジン毎に色再現特性は異なるので、表面と裏面とで色再現が異なった印刷出力となり得る。表面用と裏面用のプリントエンジンそれぞれの出力プロファイルを用いた色変換を行って、表面と裏面の色再現を一致させようとしても、各プリントエンジンの色再現域（Color Gamut）の違いは補償できない。
【０００４】
なお、特許第３５１３３３４号公報には、複数種類のデバイスのプロファイルに示される色再現領域情報から、それらのデバイスに共通の色再現領域を求め、求めた共通の色再現領域を示すプロファイルを作成し、作成した共通のプロファイルを用いてカラーマッチング処理を行うことにより、複数種類のデバイスにおいて同一の色再現を得られるようにすることが記載されている。
【特許文献１】特許第３５１３３３４号公報
【発明の開示】
【発明が解決しようとする課題】
【０００５】
本発明の目的は、複数の印刷ユニット（プリントエンジン）を備えた印刷装置において、印刷ユニット間で色再現域が異なる場合であっても、各印刷ユニットの出力結果の色再現を一致させることができるようにすることにある。
【課題を解決するための手段】
【０００６】
本発明に係る印刷装置は、第一の印刷ユニット及び第二の印刷ユニットを備えた印刷装置であって、出力用の画像データを、デバイス非依存の色空間の画像データへ変換する入力色変換処理部と、前記入力色変換処理部によって変換された画像データを、前記第一の印刷ユニット及び前記第二の印刷ユニットの共通色再現域内にマッピングするマッピング部と、画像データが、前記第一の印刷ユニットで出力するためのものか、前記第二の印刷ユニットで出力するためのものかを判別する判別部と、前記第一の印刷ユニットで出力するための画像データを、前記第一の印刷ユニットに依存する色空間の画像データに変換する第一の色変換処理部と、前記第二の印刷ユニットで出力するための画像データを、前記第二の印刷ユニットに依存する色空間の画像データに変換する第二の色変換処理部とを備えたことを特徴とする。
【０００７】
この場合において、前記マッピング部によるマッピングが行われた画像データの色調整を行う色調整部を更に備えるようにしてもよい。
【０００８】
本発明に係る別の印刷装置は、第一の印刷ユニット及び第二の印刷ユニットを備えた印刷装置であって、出力用の画像データを、統合入力プロファイルを利用して、デバイス非依存の色空間の画像データへ変換する入力色変換処理部と、画像データが、前記第一の印刷ユニットで出力するためのものか、前記第二の印刷ユニットで出力するためのものかを判別する判別部と、前記第一の印刷ユニットで出力するための画像データを、前記第一の印刷ユニットに依存する色空間の画像データに変換する第一の色変換処理部と、前記第二の印刷ユニットで出力するための画像データを、前記第二の印刷ユニットに依存する色空間の画像データに変換する第二の色変換処理部とを備え、前記統合入力プロファイルは、画像データを、前記第一の印刷ユニット及び前記第二の印刷ユニットの共通色再現域内にマッピングするための共通色再現プロファイルと、入力プロファイルを統合したものであることを特徴とする。
【０００９】
この場合において、前記入力色変換処理部による変換が行われた画像データの色調整を行う色調整部を更に備えるようにしてもよい。
【００１０】
本発明に係る更に別の印刷装置は、第一の印刷ユニット及び第二の印刷ユニットを備えた印刷装置であって、出力用の画像データを、デバイス非依存の色空間の画像データへ変換する入力色変換処理部と、画像データが、前記第一の印刷ユニットで出力するためのものか、前記第二の印刷ユニットで出力するためのものかを判別する判別部と、前記第一の印刷ユニットで出力するための画像データを、第一の統合出力プロファイルを利用して、前記第一の印刷ユニットに依存する色空間の画像データに変換する第一の色変換処理部と、前記第二の印刷ユニットで出力するための画像データを、第二の統合出力プロファイルを利用して、前記第二の印刷ユニットに依存する色空間の画像データに変換する第二の色変換処理部とを備え、前記第一の統合出力プロファイルは、画像データを、前記第一の印刷ユニット及び前記第二の印刷ユニットの共通色再現域内にマッピングするための共通色再現プロファイルと、前記第一の印刷ユニットのプロファイルを統合したものであり、前記第二の統合出力プロファイルは、前記共通色再現プロファイルと、前記第二の印刷ユニットのプロファイルを統合したものであることを特徴とする。
【００１１】
本発明に係る更に別の印刷装置は、第一の印刷ユニット及び第二の印刷ユニットを備えた印刷装置であって、画像データが、前記第一の印刷ユニットで出力するためのものか、前記第二の印刷ユニットで出力するためのものかを判別する判別部と、前記第一の印刷ユニットで出力するための画像データを、第一の統合プロファイルを利用して、前記第一の印刷ユニットに依存する色空間の画像データに変換する第一の色変換処理部と、前記第二の印刷ユニットで出力するための画像データを、第二の統合プロファイルを利用して、前記第二の印刷ユニットに依存する色空間の画像データに変換する第二の色変換処理部とを備え、前記第一の統合プロファイルは、画像データを、前記第一の印刷ユニット及び前記第二の印刷ユニットの共通色再現域内にマッピングするための共通色再現プロファイルと、入力プロファイルと、前記第一の印刷ユニットのプロファイルとを統合したものであり、前記第二の統合プロファイルは、前記共通色再現プロファイルと、前記入力プロファイルと、前記第二の印刷ユニットのプロファイルとを統合したものであることを特徴とする。
【００１２】
本発明に係る更に別の印刷装置は、第一の印刷ユニット及び第二の印刷ユニットを備え、バイナリ画像を受け取って、前記バイナリ画像の出力を行う印刷装置であって、前記バイナリ画像の多値化を行う多値化処理部と、前記多値化処理部によって多値化された画像データを、デバイス非依存の色空間の画像データへ変換する入力色変換処理部と、前記入力色変換処理部によって変換された画像データを、前記第一の印刷ユニット及び前記第二の印刷ユニットの共通色再現域内にマッピングするマッピング部と、画像データが、前記第一の印刷ユニットで出力するためのものか、前記第二の印刷ユニットで出力するためのものかを判別する判別部と、前記第一の印刷ユニットで出力するための画像データを、前記第一の印刷ユニットに依存する色空間の画像データに変換する第一の色変換処理部と、前記第二の印刷ユニットで出力するための画像データを、前記第二の印刷ユニットに依存する色空間の画像データに変換する第二の色変換処理部とを備えたことを特徴とする。
【００１３】
本発明に係る画像生成装置は、第一の印刷ユニット及び第二の印刷ユニットを備えた印刷装置で出力するための画像データを生成する画像生成装置であって、前記印刷装置で出力するための画像データを生成する画像生成部と、前記画像生成部によって生成された画像データを、デバイス非依存の色空間の画像データへ変換する入力色変換処理部と、前記入力色変換処理部によって色変換された画像データを、前記第一の印刷ユニット及び前記第二の印刷ユニットの共通色再現域内にマッピングするマッピング部とを備えたことを特徴とする。
【００１４】
本発明に係る更に別の印刷装置は、前記画像生成装置によって生成された画像データの出力を行う印刷装置であって、第一の印刷ユニット及び第二の印刷ユニットと、前記画像生成装置から受け取った画像データが、前記第一の印刷ユニットで出力するためのものか、前記第二の印刷ユニットで出力するためのものかを判別する判別部と、前記第一の印刷ユニットで出力するための画像データを、前記第一の印刷ユニットに依存する色空間の画像データに変換する第一の色変換処理部と、前記第二の印刷ユニットで出力するための画像データを、前記第二の印刷ユニットに依存する色空間の画像データに変換する第二の色変換処理部とを備えたことを特徴とする。
【００１５】
以上の場合において、例えば、前記第一の印刷ユニットは、用紙の表面に対して出力処理を行うものであり、前記第二の印刷ユニットは、用紙の裏面に対して出力処理を行うものである。
【発明の効果】
【００１６】
本発明によれば、複数の印刷ユニット（プリントエンジン）を備えた印刷装置において、印刷ユニット間で色再現域が異なる場合であっても、各印刷ユニットの出力結果の色再現を一致させることが可能になる。
【発明を実施するための最良の形態】
【００１７】
以下、本発明の実施の形態について、図面を参照しつつ詳細に説明する。
【００１８】
≪第一実施形態≫
図１は、本発明によるカラー印刷システムの構成を示す図である。
【００１９】
同図に示すように、本発明によるカラー印刷システム１００は、画像生成装置１１０と、印刷装置１２０とを備える。
【００２０】
画像生成装置１１０と、印刷装置１２０とは、例えば、専用インタフェースバス又はＬＡＮ等のネットワークを介して、接続されている。
【００２１】
画像生成装置１１０は、文章・グラフィックス（線画）・画像などの素材データ（オブジェクト）を適宜レイアウトして作成された電子文書データに基づいて、印刷装置１２０で出力するための画像データを生成するものである。
【００２２】
画像生成装置１１０は、例えば、通常のパーソナルコンピュータその他のコンピュータで構成される。より具体的には、画像生成装置１１０は、ＣＰＵ、メインメモリ、表示装置、ハードディスク装置、入力装置等を備える。表示装置は、例えば、ＣＲＴ表示装置やＬＣＤ表示装置等によって構成され、入力装置は、例えば、キーボードやマウスその他のポインティングデバイス等によって構成される。
【００２３】
印刷装置１２０は、画像生成装置１１０によって生成された画像データの出力を行うものである。印刷装置１２０は、２台の印刷ユニット（プリントエンジン）を備えており、一方の印刷ユニットが用紙の表面の印刷を行い、他方の印刷ユニットが用紙の裏面の印刷を行うことで、両面印刷を実現するものである。印刷装置１２０は、例えば、電子写真方式のプリンタで構成される。
【００２４】
図２は、本発明による印刷装置１２０の機能構成を示す図である。
【００２５】
同図に示すように、印刷装置１２０は、色変換処理部２１０と、２つのスクリーン処理部２２１，２２２と、２つのプリントエンジン部２３１，２３２とを備える。
【００２６】
色変換処理部２１０は、画像生成装置１１０から送られてくる出力用の画像データに対して、色変換処理を行うものである。色変換処理部２１０の詳細については後述する。
【００２７】
スクリーン処理部２２１は、色変換処理部２１０から出力される表面用の画像データに対して、スクリーン処理（疑似中間調処理）を行うものである。スクリーン処理部２２２は、色変換処理部２１０から出力される裏面用の画像データに対して、スクリーン処理（疑似中間調処理）を行うものである。
【００２８】
プリントエンジン部２３１は、スクリーン処理部２２１から出力される表面用の二値画像データに基づいて、用紙の表面に対して通常の出力処理を行うものである。プリントエンジン部２３２は、スクリーン処理部２２２から出力される裏面用の二値画像データに基づいて、用紙の裏面に対して通常の出力処理を行うものである。プリントエンジン部２３１，２３２は、例えば、感光体、帯電装置、露光装置、現像装置、定着装置、クリーニング装置等を備える。
【００２９】
図３は、色変換処理部２１０の構成を示す図である。
【００３０】
同図に示すように、色変換処理部２１０は、入力色変換処理部３１０と、マッピング部３２０と、色調整部３３０と、表裏判別部３４０と、表面用色変換処理部３５１と、裏面用色変換処理部３５２とを備える。
【００３１】
入力色変換処理部３１０は、画像生成装置１１０から送られてくる出力用の画像データに対して、色変換処理を行うものである。より具体的には、入力色変換処理部３１０は、所定の入力プロファイルを利用して、入力色空間（例えば、ＲＧＢ）の画像データを、ＰＣＳ（Profile Connection Space）（例えば、ＣＩＥ−Ｌ＊ａ＊ｂ＊（以下、単に、Ｌａｂと表記する））の画像データに変換する。すなわち、入力色変換処理部３１０は、デバイス・ディペンデントな色空間からデバイス・インディペンデントな色空間への変換を行う。
【００３２】
マッピング部３２０は、入力色変換処理部３１０によってＰＣＳに変換された画像データに対して、色変換を行うものである。より具体的には、マッピング部３２０は、画像データで使われ得るすべての色が、２つのプリントエンジン部２３１，２３２で共通する色再現域へ含まれるように色変換（マッピング）を行うものである。マッピング部３２０は、予め作成された共通色再現プロファイルを利用して、色変換を行う。共通色再現プロファイルの作成方法については後述する。
【００３３】
マッピング部３２０で行われるマッピングの方法としては、例えば、色味を優先するマッピング処理（パーセプチュアルレンダリング）、色差を最小にするようなマッピング処理（カラリメトリックレンダリング）、彩度を優先するマッピング処理（サチュレーションレンダリング）等がある。
【００３４】
色調整部３３０は、マッピング部３２０から出力される画像データの色調整を行うものである。例えば、色調整部３３０は、色相、彩度、明度の調整を行う。Ｌａｂ等の人間の視覚特性に近いＰＣＳで色調整をすることで、人間にとって素直な色調整を行うことが可能となる。
【００３５】
表裏判別部３４０は、画像データが用紙の表面に出力するためのものか、用紙の裏面に出力するためのものかを判別し、表面用の画像データは、表面用色変換処理部３５１に対して出力し、裏面用の画像データは、裏面用色変換処理部３５２に対して出力するものである。
【００３６】
表面用色変換処理部３５１は、表裏判別部３４０から出力される表面用の画像データに対して、色変換処理を行うものである。より具体的には、表面用色変換処理部３５１は、表面印刷用のプリントエンジン部２３１のプロファイルを利用して、ＰＣＳの画像データを、ＣＭＹＫ色空間の画像データに変換する。すなわち、表面用色変換処理部３５１は、デバイス・インディペンデントな色空間からデバイス・ディペンデントな色空間（プリントエンジン部２３１依存の色空間）への変換を行う。
【００３７】
同様に、裏面用色変換処理部３５２は、表裏判別部３４０から出力される裏面用の画像データに対して、色変換処理を行うものである。より具体的には、裏面用色変換処理部３５２は、裏面印刷用のプリントエンジン部２３２のプロファイルを利用して、ＰＣＳの画像データを、ＣＭＹＫ色空間の画像データに変換する。すなわち、裏面用色変換処理部３５２は、デバイス・インディペンデントな色空間からデバイス・ディペンデントな色空間（プリントエンジン部２３２依存の色空間）への変換を行う。
【００３８】
次に、以上のような構成を有する印刷装置１２０の動作について説明する。
【００３９】
印刷装置１２０は、画像生成装置１１０から出力用の画像データを受信すると、まず、色変換処理部２１０によって、画像データの色変換を行う。すなわち、まず、入力色変換処理部３１０によって、所定の入力プロファイルを利用して、入力色空間（例えば、ＲＧＢ）の画像データを、ＰＣＳ（例えば、Ｌａｂ）の画像データに変換する。
【００４０】
更に、マッピング部３２０により、共通色再現プロファイルを利用して、画像データで使われているすべての色が、２つのプリントエンジン部２３１，２３２で共通する色再現域へ含まれるように色変換（マッピング）を行う。
【００４１】
次に、色調整部３３０によって、マッピング部３２０から出力される画像データの色調整を行う。
【００４２】
次に、表裏判別部３４０によって、画像データが用紙の表面に出力するためのものか、用紙の裏面に出力するためのものかを判別し、表面用の画像データは、表面用色変換処理部３５１に対して出力し、裏面用の画像データは、裏面用色変換処理部３５２に対して出力する。
【００４３】
次に、表面用色変換処理部３５１によって、表面印刷用のプリントエンジン部２３１のプロファイルを利用して、表裏判別部３４０から渡されるＰＣＳの画像データを、ＣＭＹＫ色空間の画像データに変換する。同様に、裏面用色変換処理部３５２によって、裏面印刷用のプリントエンジン部２３２のプロファイルを利用して、表裏判別部３４０から渡されるＰＣＳの画像データを、ＣＭＹＫ色空間の画像データに変換する。
【００４４】
以上のようにして、色変換処理部２１０による色変換処理が終了すると、次に、スクリーン処理部２２１，２２２によって、表面用色変換処理部３５１及び裏面用色変換処理部３５２それぞれから出力されるＣＭＹＫ画像データに対して、スクリーン処理（疑似中間調処理）を行う。
【００４５】
最後に、プリントエンジン部２３１，２３２によって、スクリーン処理部２２１，２２２から出力されるＣＭＹＫ二値画像データに基づいて、用紙に対して通常の出力処理を行う。
【００４６】
以上のような処理を行うことにより、プリントエンジン部２３１，２３２間で色再現域が異なる場合であっても、表面と裏面とで印刷出力の色再現を一致させることができる。
【００４７】
次に、マッピング部３２０が利用する共通色再現プロファイルの作成方法について説明する。
【００４８】
図４は、共通色再現プロファイルの作成処理の流れを示す図である。
【００４９】
同図に示すように、まず、各プリントエンジン部２３１，２３２のプロファイルから、それぞれの色再現域情報を取得する（Ｓ４０１）。
【００５０】
次に、取得された２つの色再現域情報に基づいて、２つのプリントエンジン部２３１，２３２に共通する共通色再現域を求める（Ｓ４０２）。
【００５１】
最後に、所定のマッピング方法（例えば、パーセプチュアルレンダリング等）を利用して、入力色空間が共通色再現域内へマッピングされるように、共通色再現プロファイルを作成する（Ｓ４０３）。
【００５２】
以上のようにして、マッピング部３２０が利用する共通色再現プロファイルが作成される。なお、複数種類のマッピング方法を利用して、複数種類の共通色再現プロファイルを作成しておき、マッピング部３２０が共通色再現プロファイルを適宜切り替えて利用できるようにしてもよい。
【００５３】
次に、色変換処理部２１０の別の実施形態について説明する。なお、以下では、基本的に、上述した色変換処理部２１０と実質的に異なる部分についてのみ説明する。
【００５４】
図５は、別の実施形態における色変換処理部２１０ａの構成を示す図である。なお、同図では、図３に示したものと同様の構成要素については、同じ参照符号を付してある。
【００５５】
同図に示すように、色変換処理部２１０ａは、入力色変換処理部３１０と、表裏判別部３４０と、表面用色変換処理部３５１ａと、裏面用色変換処理部３５２ａとを備える。
【００５６】
色変換処理部２１０ａにおいては、表面用色変換処理部３５１ａ及び裏面用色変換処理部３５２ａによって、共通色再現プロファイルを利用した色変換と、各プリントエンジン部２３１，２３２のプロファイルを利用した色変換とを一括して行う。そのために、共通色再現プロファイルと、各プリンタエンジン部２３１，２３２のプロファイルとを統合して、表面用統合出力プロファイル及び裏面用統合出力プロファイルをそれぞれ予め作成しておく。
【００５７】
そして、表面用色変換処理部３５１ａは、表面用統合出力プロファイルを利用して、ＰＣＳの画像データを、ＣＭＹＫ色空間の画像データに変換する。同様に、裏面用色変換処理部３５２ａは、裏面用統合出力プロファイルを利用して、ＰＣＳの画像データを、ＣＭＹＫ色空間の画像データに変換する。
【００５８】
色変換処理部２１０ａにおいては、マッピング部３２０が不要となるので、色変換処理の高速化が図れる。
【００５９】
図６は、更に別の実施形態における色変換処理部２１０ｂの構成を示す図である。
【００６０】
同図に示すように、色変換処理部２１０ｂは、入力色変換処理部３１０ｂと、色調整部３３０と、表裏判別部３４０と、表面用色変換処理部３５１と、裏面用色変換処理部３５２とを備える。
【００６１】
色変換処理部２１０ｂにおいては、入力色変換処理部３１０ｂによって、入力プロファイルを利用した色変換と、共通色再現プロファイルを利用した色変換とを一括して行う。そのために、入力プロファイルと、共通色再現プロファイルとを統合して、統合入力プロファイルを予め作成しておく。
【００６２】
そして、入力色変換処理部３１０ｂは、統合入力プロファイルを利用して、入力色空間の画像データを、ＰＣＳの画像データに変換する。
【００６３】
色変換処理部２１０ｂにおいても、マッピング部３２０が不要となるので、色変換処理の高速化が図れる。
【００６４】
図７は、更に別の実施形態における色変換処理部２１０ｃの構成を示す図である。
【００６５】
同図に示すように、色変換処理部２１０ｃは、表裏判別部３４０と、表面用色変換処理部３５１ｃと、裏面用色変換処理部３５２ｃとを備える。
【００６６】
色変換処理部２１０ｃにおいては、表面用色変換処理部３５１ｃ及び裏面用色変換処理部３５２ｃによって、入力プロファイルを利用した色変換と、共通色再現プロファイルを利用した色変換と、各プリントエンジン部２３１，２３２のプロファイルを利用した色変換とを一括して行う。そのために、入力プロファイルと、共通色再現プロファイルと、各プリンタエンジン部のプロファイルとを統合して、表面用統合プロファイル及び裏面用統合プロファイルをそれぞれ予め作成しておく。
【００６７】
そして、表面用色変換処理部３５１ｃは、表面用統合プロファイルを利用して、入力色空間（例えば、ＲＧＢ）の画像データを、ＣＭＹＫ色空間の画像データに変換する。同様に、裏面用色変換処理部３５２ｃは、裏面用統合プロファイルを利用して、入力色空間（例えば、ＲＧＢ）の画像データを、ＣＭＹＫ色空間の画像データに変換する。
【００６８】
色変換処理部２１０ｃにおいては、入力色変換処理部３１０及びマッピング部３２０が不要となるので、色変換処理の高速化が図れる。
【００６９】
≪第二実施形態≫
図８は、本発明による第二のカラー印刷システムの構成を示す図である。
【００７０】
同図に示すように、本発明によるカラー印刷システム８００は、画像生成装置８１０と、ターゲット印刷装置８２０と、非ターゲット印刷装置８３０とを備える。
【００７１】
画像生成装置８１０と、ターゲット印刷装置８２０及び非ターゲット印刷装置８３０とは、例えば、専用インタフェースバス又はＬＡＮ等のネットワークを介して、接続されている。
【００７２】
画像生成装置８１０は、文章・グラフィックス（線画）・画像などの素材データ（オブジェクト）を適宜レイアウトして作成された電子文書データに基づいて、ターゲット印刷装置８２０で出力するのに適したバイナリ画像を生成するものである。画像生成装置８１０は、例えば、通常のパーソナルコンピュータその他のコンピュータで構成される。
【００７３】
ターゲット印刷装置８２０は、カラー印刷システム８００において、本来の出力先とされている印刷装置であって、画像生成装置８１０によって当該印刷装置向けに生成されたバイナリ画像の出力を行うものである。ターゲット印刷装置８２０は、例えば、電子写真方式のプリンタで構成される。
【００７４】
非ターゲット印刷装置８３０は、カラー印刷システム８００において、本来の出力先とはされていない印刷装置であって、必要に応じて、画像生成装置８１０によってターゲット印刷装置８２０向けに生成されたバイナリ画像の出力を行うものである。非ターゲット印刷装置８３０は、２台の印刷ユニット（プリントエンジン）を備えており、一方の印刷ユニットが用紙の表面の印刷を行い、他方の印刷ユニットが用紙の裏面の印刷を行うことで、両面印刷を実現するものである。非ターゲット印刷装置８３０は、例えば、電子写真方式のプリンタで構成される。
【００７５】
図９は、非ターゲット印刷装置８３０の機能構成を示す図である。
【００７６】
同図に示すように、非ターゲット印刷装置８３０は、多値化処理部９０１と、色変換処理部９１０と、２つのスクリーン処理部９２１，９２２と、２つのプリントエンジン部９３１，９３２とを備える。
【００７７】
多値化処理部９０１は、画像生成装置８１０から送られてくるターゲット印刷装置８２０向けのバイナリ画像を、多値画像に変換するものである。すなわち、バイナリ画像から多値画像を復元する。
【００７８】
色変換処理部９１０は、多値化処理部９０１によって多値化された画像データに対して、色変換処理を行うものである。色変換処理部９１０の詳細については後述する。
【００７９】
スクリーン処理部９２１は、色変換処理部９１０から出力される表面用の画像データに対して、スクリーン処理（疑似中間調処理）を行うものである。スクリーン処理部９２２は、色変換処理部９１０から出力される裏面用の画像データに対して、スクリーン処理（疑似中間調処理）を行うものである。
【００８０】
プリントエンジン部９３１は、スクリーン処理部９２１から出力される表面用のＣＭＹＫ二値画像データに基づいて、用紙の表面に対して通常の出力処理を行うものである。プリントエンジン部９３２は、スクリーン処理部９２２から出力される裏面用のＣＭＹＫ二値画像データに基づいて、用紙の裏面に対して通常の出力処理を行うものである。プリントエンジン部９３１，９３２は、例えば、感光体、帯電装置、露光装置、現像装置、定着装置、クリーニング装置等を備える。
【００８１】
図１０は、色変換処理部９１０の構成を示す図である。
【００８２】
同図に示すように、色変換処理部９１０は、入力色変換処理部１０１０と、マッピング部１０２０と、表裏判別部１０４０と、表面用色変換処理部１０５１と、裏面用色変換処理部１０５２とを備える。
【００８３】
入力色変換処理部１０１０は、多値化処理部９０１によって多値化された画像データに対して、色変換処理を行うものである。より具体的には、入力色変換処理部１０１０は、ターゲット印刷装置８２０のプロファイルを利用して、ターゲット印刷装置８２０用のＣＭＹＫ色空間の画像データを、ＰＣＳ（例えば、Ｌａｂ）の画像データに変換する。すなわち、入力色変換処理部３１０は、デバイス・ディペンデントな色空間（ターゲット印刷装置８２０依存の色空間）からデバイス・インディペンデントな色空間への変換を行う。
【００８４】
マッピング部１０２０は、入力色変換処理部１０１０によってＰＣＳに変換された画像データに対して、色変換を行うものである。より具体的には、マッピング部１０２０は、画像データで使われ得るすべての色が、２つのプリントエンジン部９３１，９３２で共通する色再現域へ含まれるように色変換（マッピング）を行うものである。マッピング部１０２０は、予め作成された共通色再現プロファイルを利用して、色変換を行う。共通色再現プロファイルは、図４に示した共通色再現プロファイルの作成方法と同様の方法により、プリントエンジン部９３１，９３２のプロファイル及びターゲット印刷装置８２０のプロファイルから作成される。
【００８５】
表裏判別部１０４０は、画像データが用紙の表面に出力するためのものか、用紙の裏面に出力するためのものかを判別し、表面用の画像データは、表面用色変換処理部１０５１に対して出力し、裏面用の画像データは、裏面用色変換処理部１０５２に対して出力するものである。
【００８６】
表面用色変換処理部１０５１は、表裏判別部１０４０から出力される表面用の画像データに対して、色変換処理を行うものである。より具体的には、表面用色変換処理部１０５１は、表面印刷用のプリントエンジン部９３１のプロファイルを利用して、ＰＣＳの画像データを、ＣＭＹＫ色空間の画像データに変換する。すなわち、表面用色変換処理部１０５１は、デバイス・インディペンデントな色空間からデバイス・ディペンデントな色空間（プリントエンジン部９３１依存の色空間）への変換を行う。
【００８７】
同様に、裏面用色変換処理部１０５２は、表裏判別部１０４０から出力される裏面用の画像データに対して、色変換処理を行うものである。より具体的には、裏面用色変換処理部１０５２は、裏面印刷用のプリントエンジン部９３２のプロファイルを利用して、ＰＣＳの画像データを、ＣＭＹＫ色空間の画像データに変換する。すなわち、裏面用色変換処理部１０５２は、デバイス・インディペンデントな色空間からデバイス・ディペンデントな色空間（プリントエンジン部９３２依存の色空間）への変換を行う。
【００８８】
次に、以上のような構成を有する非ターゲット印刷装置８３０の動作について説明する。ここでは、ターゲット印刷装置８２０向けに生成されたバイナリ画像データを、非ターゲット印刷装置８３０で出力する場合について説明する。
【００８９】
非ターゲット印刷装置８３０は、画像生成装置８１０からターゲット印刷装置８２０向けに生成されたバイナリ画像データを受信すると、まず、多値化処理部９０１によって、多値化処理を行い、多値画像データに変換する。
【００９０】
次に、色変換処理部９１０によって、多値画像データの色変換を行う。すなわち、まず、入力色変換処理部１０１０によって、ターゲット印刷装置８２０のプロファイルを利用して、ターゲット印刷装置８２０用のＣＭＹＫ多値画像データを、Ｌａｂ多値画像データに変換する。
【００９１】
更に、マッピング部１０２０により、共通色再現プロファイルを利用して、画像データで使われているすべての色が、２つのプリントエンジン部９３１，９３２で共通する色再現域へ含まれるように色変換（マッピング）を行う。
【００９２】
次に、表裏判別部１０４０によって、画像データが用紙の表面に出力するためのものか、用紙の裏面に出力するためのものかを判別し、表面用の画像データは、表面用色変換処理部１０５１に対して出力し、表面用の画像データは、裏面用色変換処理部１０５２に対して出力する。
【００９３】
次に、表面用色変換処理部１０５１によって、表面印刷用のプリントエンジン部９３１のプロファイルを利用して、表裏判別部１０４０から渡されるＰＣＳの画像データを、ＣＭＹＫ色空間の画像データに変換する。同様に、裏面用色変換処理部１０５２によって、裏面印刷用のプリントエンジン部９３２のプロファイルを利用して、表裏判別部１０４０から渡されるＰＣＳの画像データを、ＣＭＹＫ色空間の画像データに変換する。
【００９４】
以上のようにして、色変換処理部９１０による色変換処理が終了すると、次に、スクリーン処理部９２１，９２２によって、表面用色変換処理部１０５１及び裏面用色変換処理部１０５２それぞれから出力されるＣＭＹＫ多値画像データに対して、スクリーン処理（疑似中間調処理）を行う。
【００９５】
最後に、プリントエンジン部９３１，９３２によって、スクリーン処理部９２１，９２２から出力されるＣＭＹＫ二値画像データに基づいて、用紙に対して通常の出力処理を行う。
【００９６】
以上のような処理を行うことにより、ターゲット印刷装置８２０での出力に適するように生成されたバイナリ画像データを、非ターゲット印刷装置８３０で出力することを可能としつつ、非ターゲット印刷装置８３０が備えるプリントエンジン部９３１，９３２間で色再現域が異なる場合であっても、表面と裏面とで印刷出力の色再現を一致させることができる。
【００９７】
≪第三実施形態≫
図１１は、本発明による第三のカラー印刷システムの構成を示す図である。
【００９８】
同図に示すように、本発明によるカラー印刷システム１１００は、画像生成装置１１１０と、印刷装置１１２０とを備える。
【００９９】
画像生成装置１１１０と、印刷装置１１２０とは、例えば、専用インタフェースバス又はＬＡＮ等のネットワークを介して、接続されている。
【０１００】
画像生成装置１１１０は、文章・グラフィックス（線画）・画像などの素材データ（オブジェクト）を適宜レイアウトして作成された電子文書データに基づいて、印刷装置１１２０で出力するための画像データを生成するものである。画像生成装置１１１０は、例えば、通常のパーソナルコンピュータその他のコンピュータで構成される。
【０１０１】
印刷装置１１２０は、画像生成装置１１１０によって生成された画像データの出力を行うものである。印刷装置１１２０は、２台の印刷ユニット（プリントエンジン）を備えており、一方の印刷ユニットが用紙の表面の印刷を行い、他方の印刷ユニットが用紙の裏面の印刷を行うことで、両面印刷を実現するものである。印刷装置１１２０は、例えば、電子写真方式のプリンタで構成される。
【０１０２】
図１２は、画像生成装置１１１０の機能構成を示す図である。
【０１０３】
同図に示すように、画像生成装置１１１０は、画像生成部１２１０と、入力色変換処理部１２２０と、マッピング部１２３０とを備える。
【０１０４】
画像生成部１２１０は、印刷対象とされた電子文書データに基づいて、画像データ（ビットマップデータ）を生成するものである。画像生成部１２１０は、例えば、ＲＧＢ色空間の画像データを生成する。
【０１０５】
入力色変換処理部１２２０は、所定の入力プロファイルを利用して、画像生成部１２１０によって生成されたＲＧＢ色空間の画像データを、ＰＣＳ（例えば、Ｌａｂ）の画像データに変換するものである。すなわち、入力色変換処理部１２２０は、デバイス・ディペンデントな色空間からデバイス・インディペンデントな色空間への変換を行う。
【０１０６】
マッピング部１２３０は、入力色変換処理部１２２０によってＰＣＳに変換された画像データに対して、色変換を行うものである。より具体的には、マッピング部１２３０は、画像データで使われ得るすべての色が、印刷装置１１２０が備える２台の印刷ユニット（プリントエンジン部）で共通する色再現域へ含まれるように色変換（マッピング）を行うものである。マッピング部１２３０は、予め作成されたマッピング・プロファイルを利用して、色変換を行う。マッピング・プロファイルは、図４に示した共通色再現プロファイルの作成方法と同様の方法で作成される。
【０１０７】
マッピング部１２３０によるマッピングが行われた画像データは、印刷装置１１２０に送信される。
【０１０８】
図１３は、印刷装置１１２０の機能構成を示す図である。
【０１０９】
同図に示すように、印刷装置１１２０は、表裏判別部１３４０と、表面用色変換処理部１３５１と、裏面用色変換処理部１３５２と、２つのスクリーン処理部１３６１，１３６２と、２つのプリントエンジン部１３７１，１３７２とを備える。
【０１１０】
表裏判別部１３４０は、画像生成装置１１１０から受け取ったＰＣＳの画像データが用紙の表面に出力するためのものか、用紙の裏面に出力するためのものかを判別し、表面用の画像データは、表面用色変換処理部１３５１に対して出力し、裏面用の画像データは、裏面用色変換処理部１３５２に対して出力するものである。
【０１１１】
表面用色変換処理部１３５１は、表裏判別部１３４０から出力される表面用の画像データに対して、色変換処理を行うものである。より具体的には、表面用色変換処理部１３５１は、表面印刷用のプリントエンジン部１３７１のプロファイルを利用して、ＰＣＳの画像データを、ＣＭＹＫ色空間の画像データに変換する。すなわち、表面用色変換処理部１３５１は、デバイス・インディペンデントな色空間からデバイス・ディペンデントな色空間（プリントエンジン部１３７１依存の色空間）への変換を行う。
【０１１２】
同様に、裏面用色変換処理部１３５２は、表裏判別部１３４０から出力される裏面用の画像データに対して、色変換処理を行うものである。より具体的には、裏面用色変換処理部１３５２は、裏面印刷用のプリントエンジン部１３７２のプロファイルを利用して、ＰＣＳの画像データを、ＣＭＹＫ色空間の画像データに変換する。すなわち、裏面用色変換処理部１３５２は、デバイス・インディペンデントな色空間からデバイス・ディペンデントな色空間（プリントエンジン部１３７２依存の色空間）への変換を行う。
【０１１３】
スクリーン処理部１３６１は、表面用色変換処理部１３５１から出力される表面用のＣＭＹＫ多値画像データに対して、スクリーン処理（疑似中間調処理）を行うものである。スクリーン処理部１３６２は、裏面用色変換処理部１３５２から出力される裏面用のＣＭＹＫ多値画像データに対して、スクリーン処理（疑似中間調処理）を行うものである。
【０１１４】
プリントエンジン部１３７１は、スクリーン処理部１３６１から出力される表面用のＣＭＹＫ二値画像データに基づいて、用紙の表面に対して通常の出力処理を行うものである。プリントエンジン部１３７２は、スクリーン処理部１３６２から出力される裏面用のＣＭＹＫ二値画像データに基づいて、用紙の裏面に対して通常の出力処理を行うものである。プリントエンジン部１３７１，１３７２は、例えば、感光体、帯電装置、露光装置、現像装置、定着装置、クリーニング装置等を備える。
【０１１５】
次に、以上のような構成を有するカラー印刷システム１１００の動作について説明する。
【０１１６】
画像生成装置１１１０は、ユーザから電子文書の出力が指示されると、画像生成部１２１０によって、出力が指示された電子文書データに基づいて、ＲＧＢ色空間の画像データを生成する。
【０１１７】
次に、入力色変換処理部１２２０によって、所定の入力プロファイルを利用して、画像生成部１２１０によって生成されたＲＧＢ色空間の画像データを、ＰＣＳ（例えば、Ｌａｂ）の画像データに変換する。
【０１１８】
更に、マッピング部１２３０によって、マッピング・プロファイルを利用して、画像データで使われているすべての色が、２つのプリントエンジン部１３７１，１３７２で共通する色再現域へ含まれるように色変換（マッピング）を行う。
【０１１９】
マッピング部１２３０によるマッピングが行われた画像データは、印刷装置１１２０に送信される。
【０１２０】
印刷装置１１２０は、画像生成装置１１１０から出力用の画像データを受信すると、まず、表裏判別部１３４０によって、画像生成装置１１１０から受け取ったＰＣＳの画像データが用紙の表面に出力するためのものか、用紙の裏面に出力するためのものかを判別し、表面用の画像データは、表面用色変換処理部１３５１に対して出力し、裏面用の画像データは、裏面用色変換処理部１３５２に対して出力する。
【０１２１】
次に、表面用色変換処理部１３５１によって、表面印刷用のプリントエンジン部１３７１のプロファイルを利用して、表裏判別部１３４０から渡されるＰＣＳの画像データを、ＣＭＹＫ色空間の画像データに変換する。同様に、裏面用色変換処理部１３５２により、裏面印刷用のプリントエンジン部１３７２のプロファイルを利用して、表裏判別部１３４０から渡されるＰＣＳの画像データを、ＣＭＹＫ色空間の画像データに変換する。
【０１２２】
次に、スクリーン処理部１３６１，１３６２によって、表面用色変換処理部１３５１及び裏面用色変換処理部１３５２からそれぞれ出力される表面用及び裏面用のＣＭＹＫ画像データに対して、スクリーン処理（疑似中間調処理）を行う。
【０１２３】
最後に、プリントエンジン部１３７１，１３７２によって、スクリーン処理部１３６１，１３６２から出力される表面用及び裏面用のＣＭＹＫ二値画像データに基づいて、用紙の表面及び裏面に対して通常の出力処理を行う。
【０１２４】
以上のような処理を行うことにより、プリントエンジン部１３７１，１３７２間で色再現域が異なる場合であっても、表面と裏面とで印刷出力の色再現を一致させることができる。
【０１２５】
なお、カラー印刷システム１１００では、ＰＣＳの画像データを画像生成装置１１１０から印刷装置１１２０へ送っているが、マッピング処理後のＰＣＳ画像データを、所定の入力プロファイルを利用して、再び入力色空間に戻してから、印刷装置１１２０へ送信するようにしてもよい。この場合、印刷装置１１２０では、画像生成装置１１１０から受け取った入力色空間の画像データを、所定の入力プロファイルを利用して、ＰＣＳの画像データに変換した後に、表裏判別部１３４０に渡すようにする。
【０１２６】
このように、印刷装置１１２０に渡す印刷用画像データを入力色空間で作成し、保存しておくことにより、印刷装置１１２０向けに作成した画像を、画像生成装置１１１０の表示装置に表示させ、プレビューすることが容易になる。
【図面の簡単な説明】
【０１２７】
【図１】本発明によるカラー印刷システムの構成を示す図である。
【図２】本発明による印刷装置１２０の機能構成を示す図である。
【図３】色変換処理部２１０の構成を示す図である。
【図４】共通色再現プロファイルの作成処理の流れを示す図である。
【図５】色変換処理部２１０ａの構成を示す図である。
【図６】色変換処理部２１０ｂの構成を示す図である。
【図７】色変換処理部２１０ｃの構成を示す図である。
【図８】本発明による第二のカラー印刷システムの構成を示す図である。
【図９】非ターゲット印刷装置８３０の機能構成を示す図である。
【図１０】色変換処理部９１０の構成を示す図である。
【図１１】本発明による第三のカラー印刷システムの構成を示す図である。
【図１２】画像生成装置１１１０の機能構成を示す図である。
【図１３】印刷装置１１２０の機能構成を示す図である。
【符号の説明】
【０１２８】
１００    カラー印刷システム
１１０    画像生成装置
１２０    印刷装置
２１０，２１０ａ，２１０ｂ，２１０ｃ    色変換処理部
２２１，２２２    スクリーン処理部
２３１，２３２    プリントエンジン部
３１０，３１０ｂ    入力色変換処理部
３２０    マッピング部
３３０    色調整部
３４０    表裏判別部
３５１，３５１ａ，３５１ｃ    表面用色変換処理部
３５２，３５２ａ，３５２ｃ    裏面用色変換処理部
８００    カラー印刷システム
８１０    画像生成装置
８２０    ターゲット印刷装置
８３０    非ターゲット印刷装置
９０１    多値化処理部
９１０    色変換処理部
９２１，９２２    スクリーン処理部
９３１，９３２    プリントエンジン部
１０１０    入力色変換処理部
１０２０    マッピング部
１０４０    表裏判別部
１０５１    表面用色変換処理部
１０５２    裏面用色変換処理部
１１００    カラー印刷システム
１１１０    画像生成装置
１１２０    印刷装置
１２１０    画像生成部
１２２０    入力色変換処理部
１２３０    マッピング部
１３４０    表裏判別部
１３５１    表面用色変換処理部
１３５２    裏面用色変換処理部
１３６１，１３６２    スクリーン処理部
１３７１，１３７２    プリントエンジン部
【図１】
2007088969.tif 000003
【図２】
2007088969.tif 000004
【図３】
2007088969.tif 000005
【図４】
2007088969.tif 000006
【図５】
2007088969.tif 000007
【図６】
2007088969.tif 000008
【図７】
2007088969.tif 000009
【図８】
2007088969.tif 000010
【図９】
2007088969.tif 000011
【図１０】
2007088969.tif 000012
【図１１】
2007088969.tif 000013
【図１２】
2007088969.tif 000014
【図１３】
2007088969.tif 000015